(57)【要約】【課題】  身分証明を受ける者が、ユーザＩＤやパスワードを記憶する必要もなく、更にサーバでの生体情報に基づく照合処理を効率的に行なえる身分証明システムを提供する。【解決手段】  記憶媒体は、本人ＩＤ情報を含む身分証明情報が記憶され、携帯通信端末は、記憶媒体から身分証明情報を読み取る読取手段と、生体情報読取手段と、前記読取手段で読み取った身分証明情報と、生体情報読取手段で読み取った生体情報を、管理サーバに送信する手段と、管理サーバから受信した認証情報を表示する手段とを有し、管理サーバは、予め本人ＩＤ情報と生体情報とを関係付けて登録された生体情報データベースと、携帯通信端末から受信した身分証明情報及び生体情報に基づき、該生体情報と、生体情報データベースの生体情報とを照合する照合手段と、照合結果が一致した場合に、携帯通信端末に対し身分証明情報が認証されたことを示す認証情報を送信する手段とを備える。【選択図】        図1
2006011681.tif 000002
【特許請求の範囲】
【請求項１】
記憶媒体と、前記記憶媒体を着脱可能に装着する携帯通信端末と、前記携帯通信端末と通信を行なう管理サーバとにより、本人の身分を証明する身分証明用の認証情報を入手できるようにした身分証明システムであって、
前記記憶媒体は、本人ＩＤ情報を含む身分証明情報が記憶された記憶手段を有し、
前記携帯通信端末は、前記記憶媒体から前記身分証明情報を読み取る読取手段と、本人の身体から識別用の生体情報を読み取る生体情報読取手段と、前記読取手段で読み取った身分証明情報と、前記生体情報読取手段で読み取った生体情報を、前記管理サーバに送信する手段と、前記管理サーバから受信した認証情報を表示する手段とを有し、
前記管理サーバは、予め本人ＩＤ情報と生体情報とを関係付けて登録された生体情報データベースと、前記携帯通信端末から受信した前記身分証明情報及び前記生体情報に基づいて、該生体情報と、前記生体情報データベースに前記身分証明情報の本人ＩＤ情報と関係付けられて登録されている生体情報とを照合する照合手段と、前記照合手段による照合処理の結果が一致した場合に、前記携帯通信端末に対して身分証明情報が認証されたことを示す認証情報を送信する手段と、
を備えることを特徴とする身分証明システム。
【発明の詳細な説明】
【技術分野】
【０００１】
本発明は、個人の身分証明を第三者に対して行なう際に用いる身分証明システムであって、特に身分証明情報が本物であるとの認証を受ける者が、ユーザＩＤやパスワードを記憶する必要もなく、更にサーバでの照合処理を効率的に行うことができるようにした身分証明システムに関する。
【背景技術】
【０００２】
従来、社会生活を行なう上で、個人が組織に属する場合には、その所属する組織から身分証明書を受け取り、身分証明を行なう必要な場合にその身分証明書の提示を行なうなどしている。
通常、個人が所属する組織ごとに、例えば、学生証、社員証、職員証、会員証、など種々の身分証明書が発行され、個人が身分の証明を行なう際にこれらの身分証明書を提示することで、第三者に対して自身の身分の証明を行なうなどしている。
通常、これらの身分証明書は、その個人が所属する組織を脱退したり、やめたりする際に組織側で回収し、その後に不正使用ができないようにしている。
しかしながら、これらの身分証明書の回収が完全に行なわれていない場合も多く、身分証明書の管理が不十分であることからも、本人が所属していた組織をやめた後においても身分証明書が回収されないで所持され不正な使用に利用されるといった危険性もある。
【０００３】
このようなことからも、近年、身分証明用のサーバを備えておき、これに身分証明情報の登録をし、利用者が、通信回線を介してユーザ端末でサーバから身分証明情報を受信し、第三者に対して身分証明を行なう方法やシステムが開発されている。（例えば、特許文献１及び２、参照）
しかしながら、特許文献１の身分証明照会システムでは、身分証明を受ける者が、ユーザＩＤやパスワードを記憶していなければならず、うっかりユーザＩＤやパスワードを忘れてしまった場合には、身分証明情報をサーバから端末に受信できない。
したがって、利用者が年少者や高齢者である場合には、ユーザＩＤやパスワードを忘れる可能性も多く身分証明が行なえないこともあるという問題がある。
また、特許文献２の身分証明サービス方法では、生体情報だけをサーバに送信して、予め登録された生体情報と順次に照合処理するので、照合処理ための時間がかかり結果が出るまで待たなくてはならないという問題がある。
【特許文献１】特開２００２−１５０８６号公報
【特許文献２】特開２００３−５８６５４号公報
【発明の開示】
【発明が解決しようとする課題】
【０００４】
本発明は、身分証明の認証を受ける者が、ユーザＩＤやパスワードを記憶する必要もなく、更にサーバでの生体情報に基づく照合処理を行なう際でも効率的に照合処理を行うことができるようにした身分証明システムを提供する。
【課題を解決するための手段】
【０００５】
本発明の身分証明システムは、記憶媒体と、前記記憶媒体を着脱可能に装着する携帯通信端末と、前記携帯通信端末と通信を行なう管理サーバとにより、本人の身分を証明する身分証明用の認証情報を入手できるようにした身分証明システムであって、前記記憶媒体は、本人ＩＤ情報を含む身分証明情報が記憶された記憶手段を有し、前記携帯通信端末は、前記記憶媒体から前記身分証明情報を読み取る読取手段と、本人の身体から識別用の生体情報を読み取る生体情報読取手段と、前記読取手段で読み取った身分証明情報と、前記生体情報読取手段で読み取った生体情報を、前記管理サーバに送信する手段と、前記管理サーバから受信した認証情報を表示する手段とを有し、前記管理サーバは、予め本人ＩＤ情報と生体情報とを関係付けて登録された生体情報データベースと、前記携帯通信端末から受信した前記身分証明情報及び前記生体情報に基づいて、該生体情報と、前記生体情報データベースに前記身分証明情報の本人ＩＤ情報と関係付けられて登録されている生体情報とを照合する照合手段と、前記照合手段による照合処理の結果が一致した場合に、前記携帯通信端末に対して身分証明情報が認証されたことを示す認証情報を送信する手段と、  を備えることを特徴とする。
【発明の効果】
【０００６】
本発明の身分証明システムは、本人ＩＤ情報を含む身分証明情報が記憶された記憶媒体を装着させた携帯通信端末から、管理サーバに対して身分証明情報と生体情報とを送信させて管理サーバで照合処理するので、本人が身分証明に関する認証情報を入手したい場合でも、ユーザＩＤやパスワードを入力する必要もないので、ユーザＩＤやパスワードを記憶しておく必要がなく、更に管理サーバ側で、本人ＩＤ情報に関連付けられた生体情報により照合処理するので、照合処理を短時間で効率的に行うことができるという効果がある。
【発明を実施するための最良の形態】
【０００７】
以下、本発明の実施形態に係る身分証明システムについて、図面に基づいて詳細に説明する。
図１は、本発明の実施形態に係る身分証明システムの概要を説明するための図、図２は、本発明の実施形態に係る身分証明システムのシステムブロック図、図３は、本発明の実施形態に係る身分証明システムの処理手順を示すフローチャートである。
【０００８】
図１に示すように、本発明の実施形態に係る身分証明システムは、記憶媒体であるＩＣカード１と、前記ＩＣカード１を着脱可能に装着できる携帯通信端末２と、この携帯通信端末２と移動体通信網４及びインターネット５を介して通信可能に接続された管理サーバ３とにより構成されている。
そして、利用者は、携帯通信端末２にＩＣカード１を装着させた状態で管理サーバ３と通信を行い、管理サーバ３で認証処理をして、管理サーバ３から携帯通信端末２に身分証明の認証情報を送信することで、利用者が自身の身分証明を行ないたいと思う相手に、携帯通信端末２の表示手段に身分証明の認証情報を表示させて提示できるようにシステム化されている。
【０００９】
次に、本発明の実施形態に係る身分証明システムのシステム構成を、図２に基づいて説明する。
ＩＣカード１には、記憶手段６、制御手段７、携帯通信端末２と接続用のインターフェース（Ｉ/Ｆ）８などが備えられている。
記憶手段６には、本人ＩＤ情報９を含む身分証明情報１０が記憶されている。
この本人ＩＤ情報は、身分証明を行なう組織が予め利用者毎に設定した管理用のＩＤからなり、このＩＤ情報に関係付けられて個人情報などが登録されている。
この身分証明情報の中には、身分証明を行なう組織名や代表者名などの情報なども登録され、これらの情報が登録されたＩＣカード１が身分証明組織からその組織に属する者に提供される。
したがって、各々のＩＣカード１は、それぞれ発行された者だけが身分証明を行なう際に有効に使用でき、他の者が使用したとしても記憶手段１０に登録された本人ＩＤ情報９が異なるので身分証明の認証を受けることができないようにしてある。
【００１０】
また、携帯通信端末２は、汎用性を有し、身分証明の認証処理を行う際に他の者の携帯通信端末を借りるなどして使用したとしても身分証明の認証処理を行うことを可能にしてある。
この携帯通信端末２には、ＩＣカード１と接続用のインターフェース（Ｉ/Ｆ）１１、暗号化手段１２、操作手段１３、指紋読取センサー１４、マイク１５、表示手段１６、通信手段１７、スピーカ１８、記憶手段１９、制御手段２０などが備えられている。
【００１１】
暗号化手段１２は、携帯通信端末２から管理サーバ３に送信する情報である身分証明情報及び生体情報を、秘密鍵を用いて暗号化する機能を有し、送信情報に対するセキュリティ対策が施されている。
また、指紋読取センサー１４は、身分証明の認証処理を行なう利用者の指を置くことで生体情報として指紋情報の読み取りを行なう機能を有している。
【００１２】
管理サーバ３には、通信手段２１、照合手段２２、身分証明認証情報送信手段２３、復号手段２４、記憶手段２５、制御手段２６、生体情報データベース２７などが備えられている。
生体情報データベース２７には、身分証明情報の本人ＩＤ情報と関係付けられて生体情報である指紋情報が登録されている。
復号手段２４は、秘密鍵を用いて暗号化された暗号情報を、携帯通信端末２から受信した際に公開鍵で復号する機能を有し、暗号化された身分証明情報及び生体情報が復号手段２４により復号される。
また、照合手段２２は、管理サーバ３で携帯通信端末２から受信した情報である、秘密鍵を用いて暗号化された暗号情報を、復号手段２４で復号した身分証明情報及び生体情報と、生体情報データベース２７に登録されている本人ＩＤ情報と関係付けられている指紋情報とを照合する機能を有している。
【００１３】
身分証明認証情報送信手段２３は、照合手段２２により照合処理した指紋情報が一致した場合に、携帯通信端末２から受信した身分証明情報を認証したことを証明するための身分証明の認証情報を、管理サーバ３から携帯通信端末２に送信する機能を有している。
なお、照合手段２２により照合処理した指紋情報が不一致となった場合には、管理サーバ３から携帯通信端末２に身分証明情報に対する認証が行なえないことを示す情報の送信を行なう。
この場合には、利用者は、身分証明を行なえないことになる。
【００１４】
次に、本発明の実施形態に係る身分証明システムの処理手順を、図３に示すフローチャートに基づいて説明する。
まず、利用者は、携帯通信端末２にＩＣカード１をセットした状態で、操作手段１２から身分証明情報の認証処理を行うための指示情報の入力を行なう。（ステップＳ１）
指示情報の入力により認証処理用のプログラムが作動して、表示手段１６に処理手順情報が表示される。（ステップＳ２）
利用者は、表示手段１６に表示された処理手順情報を見て、その表示された手順に基づいて順次の操作を行なえばよいようにしてある。
【００１５】
次に、利用者は、指紋読取センサー１４に指定された指を押し付けることで、指紋情報の読み取りを行なう。（ステップＳ３）
更に、携帯通信端末２は、ＩＣカード１の記憶手段６に記憶された本人ＩＤ情報９を含む身分証明情報１０の読み取りを行なう。（ステップＳ４）
そして、携帯通信端末２の暗号化手段１２で、指紋情報並びに本人ＩＤ情報を含む身分証明情報に対して暗号化処理を施す。（ステップＳ５）
【００１６】
次に、携帯通信端末２から管理サーバ３に対して、暗号化された指紋情報並びに本人ＩＤ情報を含む身分証明情報の送信を行なう。（ステップＳ６）
そして、暗号化された指紋情報並びに本人ＩＤ情報を含む身分証明情報を受信した管理サーバ３では、復号手段２４により受信した情報の復号を行なう。（ステップＳ７）
次に、復号した本人ＩＤ情報に基づいて、生体情報データベース２７において、その本人ＩＤ情報と関係付けて登録されている指紋情報を抽出し、抽出した指紋情報と、携帯通信端末２から受信した指紋情報との照合処理を行う。（ステップＳ８）
【００１７】
この照合処理の結果、指紋情報の照合が一致した場合には、管理サーバ３から携帯通信端末２に対して、身分証明の認証情報の送信が行なわれる。（ステップＳ９）
また、この照合処理の結果、指紋情報の照合が不一致の場合には、管理サーバ３から携帯通信端末２に対して、身分証明を認証しない旨の情報の送信が行なわれる。（ステップＳ１１）
【００１８】
そして、携帯通信端末２では、管理サーバ３から受信した身分証明に関する認証関係の情報を表示手段１６に表示させる。（ステップＳ１０）
これにより、利用者は、携帯通信端末２の表示手段１６に身分証明情報が間違いないということを証明する認証情報を表示させて、身分証明を行いたい相手に見せることで利用者自身の身分の証明を行なうことができるようにしてある。
【図面の簡単な説明】
【００１９】
【図１】本発明の実施形態に係る身分証明システムの概要を説明するための図である。
【図２】本発明の実施形態に係る身分証明システムのシステムブロック図である。
【図３】本発明の実施形態に係る身分証明システムの処理手順を示すフローチャートである。
【符号の説明】
【００２０】
１  ＩＣカード
２  携帯通信端末
３  管理サーバ
４  移動体通信網
５  インターネット
６，１９，２５  記憶手段
７，２０，２６  制御手段
８  インターフェース（Ｉ/Ｆ）
９  本人ＩＤ情報
１０  身分証明情報
１２  暗号化手段
１３  操作手段
１４  指紋読取センサー
１５  マイク
１６  表示手段
１７，２１  通信手段
１８  スピーカ
１９  記憶手段
２２  照合手段
２３  身分証明認証情報送信手段
２４  復号手段
２７  生体情報データベース
【図１】
2006011681.tif 000003
【図２】
2006011681.tif 000004
【図３】
2006011681.tif 000005